(57)【要約】      （修正有）【課題】ゴルフクラブのヘッドスピードを最大限速く加速させるタイミングを体得可能とするゴルフスイング練習具を提供する。【解決手段】ゴルフスイング練習具１は、棒状部材２と、グリップ３とを備えている。その使用方法は、使用者の身体の正面で両腕を正面視ほぼＶ字形にした状態でグリップ３の自由端側を身体に向けるようにしてグリップ３を両手で握り、棒状部材２において反グリップ３側が下になるように棒状部材２を吊り下げる。そして、身体に対する両腕および両手の位置をほぼ不動にしたままで、身体を背骨中心に右（または左）回りに動かすことによりグリップ３を支点として棒状部材２を右（または左）回りに揺らす。引き続いて、前記と反対に身体を左（または右）回りに動かしながら屈伸することにより、グリップ３を支点として棒状部材２を左（または右）回りに旋回させる。このように旋回できるように反復練習する。【選択図】図１
0003217903.tif 000002
【実用新案登録請求の範囲】
【請求項１】
棒状部材と、この棒状部材の長手方向一端側にその長手方向に直交する方向に沿うように回動自在に取り付けられるグリップとを備え、
前記棒状部材の長手方向他端側が、前記一端側に比べて重く設定されている、ことを特徴とするゴルフスイング練習具。
【請求項２】
請求項１に記載のゴルフスイング練習具において、
前記棒状部材は、その長手方向の途中から他端側までの直線部分が前記グリップから遠ざかるようにかつ前記長手方向の途中から一端側までの直線部分に対して段違いで平行となるようにオフセットされている、ことを特徴とするゴルフスイング練習具。
【請求項３】
請求項１または２に記載のゴルフスイング練習具において、
前記棒状部材は、内筒に外筒を装着した二重筒構造とされており、
前記外筒は、身体への衝突時に衝撃を軽減するための緩衝材とされている、ことを特徴とするゴルフスイング練習具。
【請求項４】
請求項１から３のいずれか１項に記載のゴルフスイング練習具において、
前記グリップは、内筒に外筒を装着した二重筒構造とされており、
このグリップは、その内筒に相対回転自在に挿通される支軸を介して前記棒状部材に取り付けられている、ことを特徴とするゴルフスイング練習具。
【請求項５】
請求項１から４のいずれか１項に記載のゴルフスイング練習具において、
前記棒状部材は、その長手方向の適宜箇所で分割されており、当該各分割箇所は互いに取り外し可能に連結されている、ことを特徴とするゴルフスイング練習具。
【請求項６】
請求項１から５のいずれか１項に記載のゴルフスイング練習具において、
前記棒状部材の他端側には、錘が取り付けられている、ことを特徴とするゴルフスイング練習具。
【請求項７】
請求項６に記載のゴルフスイング練習具において、
前記錘は、重量別に多数用意されていて、当該各錘は前記棒状部材に対して着脱自在とされる、ことを特徴とするゴルフスイング練習具。
【考案の詳細な説明】
【技術分野】
【０００１】
本考案は、ゴルフクラブのヘッドスピードを最大限速く加速させるタイミングを体得するためのゴルフスイング練習具に関する。
【背景技術】
【０００２】
一般に、ゴルフスイングは、打球位置からスタートしてテークバックすることによりトップ位置に到達させてからダウンスイングを開始し、前記打球位置ならびにその前後を含むインパクトゾーンを通過してからフォロースルーに至るまで、一連の動作として行われる。
【０００３】
このような一連のゴルフスイング中のスイングスピードは、前記インパクトゾーンで最も速くすることが好ましい。
【０００４】
このようなゴルフスイングの練習としては、実プレー用のゴルフクラブの素振りの他、例えば特許文献１〜５に記載されているような各種の練習具を用いることが考えられている。
【０００５】
前記特許文献１〜５に記載されている練習具は、いずれも、実プレー用のゴルフクラブと同様にスイングすることにより、最適と言われているゴルフスイングの全体の流れを体得するためのものである。
【先行技術文献】
【特許文献】
【０００６】
【特許文献１】特開平７−２４６２６２号公報
【特許文献２】特開２００１−９０７７号公報
【特許文献３】特開２００６−２２３７４４号公報
【特許文献４】特開２００６−６８２５９号公報
【特許文献５】特開２００９−１５３５５７号公報
【考案の概要】
【考案が解決しようとする課題】
【０００７】
本願考案者は、ゴルフスイングを鋭意研究した結果、ゴルフスイング中における踏み込み動作ならびに蹴り上げ動作を適正に体得すれば、ゴルフクラブのヘッドスピードを最大限速く加速させることが可能になる、ということを知見した。
【０００８】
そこで、本願考案者は、前記のような知見に基づき、前記ゴルフクラブのヘッドスピードを最大限速く加速させるタイミングを体得するための練習具を開発し、本考案を出願するに至った。このような本考案特有の技術思想については、上記特許文献１〜５から窺い知ることはできない。
【０００９】
したがって、本考案は、ゴルフクラブのヘッドスピードを最大限速く加速させるタイミングを体得するためのゴルフスイング練習具の提供を目的としている。
【課題を解決するための手段】
【００１０】
本考案に係るゴルフスイング練習具は、棒状部材と、この棒状部材の一端側にその長手方向に直交する方向に沿うように回動自在に取り付けられるグリップとを備え、前記棒状部材の他端側が、前記一端側に比べて重く設定されている、ことを特徴としている。
【００１１】
この構成のゴルフスイング練習具の使用方法は、使用者の身体の正面で両腕を正面視ほぼＶ字形にした状態で前記グリップの自由端側を身体に向けるようにして当該グリップを両手で握り、前記棒状部材の他端（反グリップ側の端部）が下になるように当該棒状部材を吊り下げる。
【００１２】
そして、身体に対する両腕および両手の位置をほぼ不動にしたままで、身体を背骨中心に右（または左）回りに動かすことにより前記グリップを支点として前記棒状部材を右（または左）回りに揺らす。引き続いて、前記と反対に身体を左（または右）回りに動かしながら屈伸することにより、前記グリップを支点として前記棒状部材を左（または右）回りに旋回させる。このように旋回できるように反復練習することにより、前記棒状部材を旋回させる力を加担するための身体の使い方が体得できるようになる。この身体の使い方が、ヘッドスピードの向上を図るうえで役立つのである。
【００１３】
ところで、上記ゴルフスイング練習具において、前記棒状部材は、その長手方向の途中から他端側までの直線部分が前記グリップから遠ざかるようにかつ前記長手方向の途中から一端側までの直線部分に対して段違いで平行となるようにオフセットされている、構成とすることが好ましい。
【００１４】
この構成では、ゴルフスイング練習具を使用した練習中において棒状部材が旋回しているときに、当該棒状部材の他端側の直線部分が身体に衝突しにくくなる。
【００１５】
また、上記ゴルフスイング練習具において、前記棒状部材は、内筒に外筒を装着した二重筒構造とされており、前記外筒は、身体への衝突時に衝撃を軽減するための緩衝材とされている、構成とすることが好ましい。
【００１６】
この構成では、ゴルフスイング練習具を使用した練習中において棒状部材が身体に衝突したときでも、怪我をしにくくなる。
【００１７】
また、上記ゴルフスイング練習具において、前記グリップは、内筒に外筒を装着した二重筒構造とされており、このグリップは、その内筒に相対回転自在に挿通される支軸を介して前記棒状部材に取り付けられている、構成とすることが好ましい。
【００１８】
この構成では、仮にゴルフスイング練習具の使用頻度が高くなって、グリップの外筒が摩耗したときに、当該外筒のみを交換すればよくなるなど、ランニングコストの低減に貢献できるようになる。
【００１９】
また、上記ゴルフスイング練習具において、前記棒状部材は、その長手方向の適宜箇所で分割されており、当該各分割箇所は互いに取り外し可能に連結されている、構成とすることが好ましい。
【００２０】
この構成では、棒状部材を分割することによって、各分割体が短くなるので、持ち運びが容易になる他、不使用時の収納時に余分な収納スペースが不要となる。
【００２１】
また、上記ゴルフスイング練習具において、前記棒状部材の他端側には、錘が取り付けられている、構成とすることが好ましい。
【００２２】
この構成では、錘のみを使用者のゴルフ技術レベルあるいは体格（体重、身長など）に応じて変更することが可能になる。ちなみに、前記棒状部材について、その他端側を一端側よりも重くした構成とする場合には、使用者のゴルフ技術レベルあるいは体格を考慮して、多数の仕様別のゴルフスイング練習具を用意する必要がある。このことに比べると、前記構成では、ゴルフスイング練習具の主要構成部品を変更する必要が無くなるなど、イニシャルコストの低減に貢献できる。
【００２３】
また、上記ゴルフスイング練習具において、前記錘は、重量別に多数用意されていて、当該各錘は前記棒状部材に対して着脱自在とされる、構成とすることが好ましい。
【００２４】
この構成では、使用者のゴルフ技術レベルあるいは体格を考慮した重量別の錘を多数用意することが可能になる。これにより、例えば使用者のゴルフ技術レベルの向上に伴い、錘のみを交換するだけで、ゴルフスイング練習具の主要構成部品を変更せずに、継続して使用できるようになるなど、トータルでのランニングコストを抑制するうえで有利になる。
【考案の効果】
【００２５】
本考案に係るゴルフスイング練習具によれば、ゴルフクラブのヘッドスピードを最大限速く加速させるタイミングを体得することが可能になる。
【図面の簡単な説明】
【００２６】
【図１】本考案に係るゴルフスイング練習具の一実施形態の外観を示す斜視図である。
【図２】図１のゴルフスイング練習具の分解斜視図である。
【図３】図１のゴルフスイング練習具の断面図である。
【図４】図１のゴルフスイング練習具の使用例を正面から見た図である。
【図５】図１のゴルフスイング練習具の使用例を左側から見た図である。
【図６】本考案に係るゴルフスイング練習具の他の実施形態の外観を示す斜視図である。
【図７】本考案に係るゴルフスイング練習具のさらに他の実施形態の外観を示す斜視図である。
【図８】本考案に係るゴルフスイング練習具のさらに他の実施形態を示す断面図である。
【考案を実施するための形態】
【００２７】
以下、本考案を実施するための最良の実施形態について添付図面を参照して詳細に説明する。
【００２８】
図１から図５に、本考案の一実施形態を示している。図中、１はゴルフスイング練習具の全体を示している。ゴルフスイング練習具１は、棒状部材２、グリップ３、錘４などを備えている。
【００２９】
棒状部材２は、内筒２１に外筒２２を外嵌装着した二重筒構造とされている。内筒２１は、例えばポリ塩化ビニール（ＰＶＣ）などの合成樹脂で形成される。外筒２２は、身体への衝突時に衝撃を軽減するためのものであって、例えば発泡ウレタン、発泡スチロールなどの発泡プラスチックで形成される。
【００３０】
そして、内筒２１は、長手方向の中間でクランク形状に屈曲されることにより、長手方向一端側（グリップ３よりの基端側とも言う）の直線部分２１ａと長手方向他端側（先端側とも言う）の直線部分２１ｂとが段違いで平行となるようにオフセットされており、かつ他端側の直線部分２１ｂが一端側の直線部分２１ａよりもグリップ３から遠ざかる位置に配置されている。
【００３１】
外筒２２は、直線形状に形成されているが、前記クランク形状の内筒２１の外径側に圧入により嵌合装着されることによって、内筒２１の外形形状に倣うように弾性変形された状態になる。
【００３２】
このように棒状部材２をクランク形状にしている理由は、グリップ３を支点として棒状部材２を旋回させているときに、当該棒状部材２の先端側の直線部分２１ｂが使用者の身体に衝突しにくくするためである。
【００３３】
グリップ３は、棒状部材２と同様に、内筒３１に外筒３２を外嵌装着した二重筒構造とされている。
【００３４】
内筒３１は、例えば塩化ビニールなどの合成樹脂で形成される。外筒３２は、両手で掴むときの手触りをソフトにするためのものであって、例えば発泡ウレタン、発泡スチロールなどの発泡プラスチックで形成される。
【００３５】
このグリップ３は、棒状部材２の一端側にその長手方向に直交する方向に沿うように支軸としてのボルト３３およびナット３４，３５を介して取り付けられている。
【００３６】
ボルト３３は、図３に示すように、長尺な軸部３３ａを有し、その頭部３３ｂが丸みを持つ形状とされており、前記軸部３３ａの外周面において自由端側の所定長さ領域に雄ねじが形成されている。
【００３７】
このボルト３３は、グリップ３の内筒３１の内孔に相対回転可能となるように所定の隙間を持つ状態で挿通されている。このボルト３３の軸部３３ａの先端側は、棒状部材２の外筒２２から内筒２１に跨って貫通された貫通孔２２ａ，２１ｄの一方開口から相対回転可能に挿通されて、外筒２２の貫通孔２２ａの他方開口から突き出されている。このボルト３３において内筒２１の貫通孔２１ｄに対する挿入方向手前側および突き出した先端側には、それぞれナット３４，３５が螺合装着されることにより、ボルト３３が棒状部材２に対して回転不可能に固定されている。
【００３８】
なお、棒状部材２の外筒２２の貫通孔２２ａの一方開口には、グリップ３の取付側端部が非接触に嵌め入れられており、また、棒状部材２の外筒２２の貫通孔２２ａの他方開口には、ナット３５が入り込んで、外側に突出しないようになっている。
【００３９】
また、図３に示すように、グリップ３の内筒３１の全長寸法は外筒３２の全長寸法よりも適宜長く設定されており、ボルト３３の軸部３３ａにおいて頭部３３ｂ寄りの付け根位置から棒状部材２の内筒２１の外周面までの長さは、グリップ３の内筒３１の全長寸法よりも長く設定されている。
【００４０】
このように、ボルト３３の外径側にグリップ３が相対回転可能にかつ軸方向変位可能に嵌合装着されることによって、グリップ３がボルト３３に対して回動自在になっている。そのため、グリップ３を非回転に固定すると、当該グリップ３を中心として棒状部材２を旋回させることが可能になる。
【００４１】
錘４は、棒状部材２の他端側に設けられている。具体的に、錘４は、棒状部材２と別体でほぼ円柱形に形成されており、棒状部材２の内筒２１の内孔における他端側に不動となるように埋め込み固定されている。この錘４を不動に埋め込み固定する形態としては、圧入、あるいはねじ込みなどとすることができる。
【００４２】
参考までに、ゴルフスイング練習具１の総重量は、例えば６００〜８００ｇ、好ましくは７００ｇとすることができる。
【００４３】
棒状部材２の全長寸法（図３のＨ）は、例えば６００〜９００ｍｍ、好ましくは８００ｍｍとすることができ、また、グリップ３の全長寸法は、例えば２００〜３００ｍｍ、好ましくは２５０ｍｍとすることができる。
【００４４】
棒状部材２の一端からグリップ３の取り付け位置の中心までの長さ（図３のＸ）は、例えば４０〜７０ｍｍ、好ましくは５０〜６０ｍｍとすることができ、また、棒状部材２のオフセット寸法（図３のＹ）は、例えば３０〜５０ｍｍ、好ましくは、４０ｍｍとすることができる。
【００４５】
棒状部材２において、外筒２２の外径寸法は、例えば４０〜７０ｍｍ、好ましくは６０．５ｍｍとすることができ、また、内筒２１の外径寸法は、例えば１５〜２５ｍｍ、好ましくは２０ｍｍとすることができる。
【００４６】
グリップ３において、外筒３２の外径寸法は、例えば２０〜４５ｍｍ、好ましくは２５ｍｍとすることができ、内筒３１の外径寸法は、例えば１０〜２０ｍｍ、好ましくは１５ｍｍとすることができる。
【００４７】
これらの数値は、あくまでも参考であって、任意に変更することが可能である。
【００４８】
次に、上記したゴルフスイング練習具１の使用方法を説明する。ここでは、使用者が右利きの場合を主体に説明するが、左利きの場合には反対の動作になる。
【００４９】
（ａ）まず、準備をする。例えば図４および図５に示すように、使用者の身体の正面において両腕を正面視ほぼＶ字形にした状態でグリップ３の自由端側を身体に向けるようにしてグリップ３を両手で握り、棒状部材２の他端（錘４が存在する側の端部）が下になるように棒状部材２を吊り下げる。
【００５０】
（ｂ）次に、使用者の身体に対する両腕および両手の位置をほぼ不動にしたままで、右足を踏み込むことにより体重を左足側に移動させながら、背骨を軸として身体を左回り（図４および図５の矢印１００方向）に所定角度回す。
【００５１】
これにより、棒状部材２がグリップ３を支点として左回り（図４の矢印２００方向）に揺れ動くようになる。
【００５２】
（ｃ）続いて、前記身体の左回しを所定角度位置で停止してから、左足を踏み込むことにより体重を右足側に移動させながら、背骨を軸として身体を先程と反対の右回り（図４および図５の矢印１０１方向）に所定角度回す。
【００５３】
これにより、棒状部材２がグリップ３を支点として先程と反対の右回り（図４の矢印２０１方向）に揺れ動くようになる。
【００５４】
（ｄ）この後、前記身体の右回しを所定角度位置で停止してから、右足を前記（ｃ）での左足踏み込み時よりも強く踏み込むことにより体重を左足側に移動させながら、背骨を軸として身体を左回りに所定角度回す。
【００５５】
これにより、両手首およびグリップ３が身体ごと勢いよく下げられてから引き上げられるようになるために、左回りに揺れ動く棒状部材２の遠心力が増加されることになって、棒状部材２がグリップ３を支点として左回りに旋回し始めるようになる。
【００５６】
（ｅ）このように棒状部材２が旋回すると、身体を左右に回す動きをせずに真っ直ぐに保持しておいて、両膝を曲げて伸ばす屈伸動作（両足を踏み込んでから蹴り上げる動作と言い換えてもよい）を繰り返し行う。これにより、棒状部材２の旋回を継続させることができる。
【００５７】
このように旋回を継続させている過程における前記屈伸動作の開始タイミングは、当該旋回している棒状部材２の下端（先端）が両手首の右横位置を通過するタイミングにすると、両手首およびグリップ３が身体ごと勢いよく下げられてから引き上げられるときの力が、棒状部材２を旋回させる力として効率良く入力されるために、当該棒状部材２の遠心力が増加して旋回速度が速くなる。
【００５８】
しかも、前記屈伸動作での曲げ伸ばしの力を強くすればする程、棒状部材２の遠心力が増加して旋回速度が速くなる。また、前記屈伸動作での曲げ伸ばしの速度を速くすればする程、棒状部材２の遠心力が増加して旋回速度が速くなる。
【００５９】
ちなみに、前記屈伸動作を所定のタイミングで行うことにより棒状部材２の旋回速度が加速されるようになる原理、ならびに前記屈伸動作での曲げ伸ばしの力を強くまたは曲げ伸ばしの速度を速くすることにより棒状部材２の旋回速度が加速されるようになる原理については、ブランコの立ち漕ぎ時の屈伸動作によりブランコの揺れを加速させるときの原理と本質的に同じであることから、容易に理解できるであろう。
【００６０】
そして、上記（ｅ）に示す屈伸動作を繰り返し練習すれば、棒状部材２を安定して旋回させるために必要な屈伸動作の開始タイミングならびに強さを体得できるようになる。
【００６１】
ところで、上記（ａ）〜（ｅ）に示す一連の動作は、ゴルフスイング練習具１の使用頻度あるいは使用者のゴルフ技術レベルがある程度高い人であれば、容易かつ円滑に実行できるが、ゴルフスイング練習具１の使用頻度あるいはゴルフ技術レベルが低い人だと、容易かつ円滑に実行することができない。
【００６２】
また、上記（ｂ）〜（ｃ）に示す動作は、いわば上記（ｄ）に至るまでの予備動作であるが、ゴルフスイング練習具１の使用頻度あるいはゴルフ技術レベルが高い人は、上記（ｂ）の後、直ぐに上記（ｄ）へと移行できることもあるが、ゴルフスイング練習具１の使用頻度あるいはゴルフ技術レベルが低い人は、上記（ｂ）〜（ｃ）を何回か繰り返してからでないと上記（ｄ）に移行できないこともある。なお、上記（ｂ）〜（ｃ）の予備動作を繰り返し行うと、棒状部材２の揺れ角度が徐々に大きくなるので、上記（ｄ）に移行しやすくなる。
【００６３】
さらに、上記（ｄ）においては、ゴルフスイング練習具１の使用頻度あるいはゴルフ技術レベルが低い人は、練習を繰り返し実行しない限り、直ぐには棒状部材２を旋回させることができないと考えられる。
【００６４】
これらの事象は、本願考案者がゴルフスイング練習具１の試作品を実際に使用することにより検証している。
【００６５】
このようなことから、ゴルフスイング練習具１の棒状部材２を円滑に旋回させることができるようになるまで上記（ａ）〜（ｅ）に示す一連の動作を繰り返し実行することが重要になるのである。
【００６６】
次に、上記ゴルフスイング練習具１の動作と実際のゴルフスイングとの関係について説明する。
【００６７】
ゴルフでは、スイング中の所定のタイミングでかつ任意の強さで右足を踏み込んでから左足を蹴り上げるような動作を行うことにより、ゴルフクラブのヘッドスピードを最大限速く加速させるようにしている。なお、本願考案者は、前記踏み込んでから蹴り上げることによる地面からの反力（いわゆる地面反射）が打球時のグリップ引き上げ動作に連係することになって、ヘッドスピードの向上に寄与することと認識している。
【００６８】
このスイング中での踏み込み動作と蹴り上げ動作との開始タイミングならびに強さが、上記ゴルフスイング練習具１を使用するときの曲げる動作と伸ばす動作と（屈伸動作）の開始タイミングならびに強さと密接に対応する関係になっていると言える。
【００６９】
したがって、ゴルフスイング練習具１の棒状部材２を安定して旋回させるための身体の使い方、特に屈伸動作を反復練習することにより、当該屈伸動作の適正な開始タイミングならびに強さを体得できるようにすれば、ゴルフスイング中における踏み込み動作ならびに蹴り上げ動作の適正な開始タイミングならびに強さを疑似的に体得できるようになる。これにより、ゴルフクラブのヘッドスピードを最大限速く加速させるタイミングを体得することが可能になると言えるのである。
【００７０】
以上説明したように、本考案を適用した実施形態のゴルフスイング練習具１によれば、その使用頻度を高めることによって、実際のゴルフのプレー時において、ゴルフクラブのヘッドスピードを最大限速く加速させることが可能になる。
【００７１】
その結果として、ゴルファー全体の永遠のテーマであるゴルフボールの飛距離の増加ならびに飛び方向の安定化が可能になって、スコアアップに貢献できるようになる。
【００７２】
なお、本考案は、上記実施形態のみに限定されるものではなく、実用新案登録請求の範囲内および当該範囲と均等の範囲内で適宜に変更することが可能である。
【００７３】
（１）上記実施形態で説明した（ｂ）〜（ｃ）の予備動作（棒状部材２の旋回のためのキッカケ作り動作）は、背骨を軸にして身体を回して体重を片足に移動させるようにした例を挙げているが、本発明はそれに限定されるものではない。
【００７４】
例えば、上記（ｂ）〜（ｃ）の代わりに、身体を動かさずに正面視ほぼ三角形にした両腕を左右に振ることにより、グリップ３を支点にして棒状部材２を揺らすようにしてもよい。
【００７５】
その場合には、上記（ｄ）の動作では、前記両腕を右側に振ってから左側に戻す際に、右足（または左利きの場合だと左足）を強く踏み込むとともに、背骨を軸として身体を左回り（または左利きの場合だと右回り）に所定角度回しながら、両腕を身体の中心で停止させるようにすればよい。これにより、グリップ３を支点として棒状部材２を右回り（または左利きの場合だと左回り）させる遠心力が増加するので、当該棒状部材２が旋回するようになる。
【００７６】
（２）上記実施形態では、棒状部材２を非分割とした例を挙げているが、本発明はそれに限定されるものではない。
【００７７】
例えば図６に示すように、棒状部材２の長手方向途中で分割し、当該分割箇所を互いに取り外し可能に連結することが可能である。この棒状部材２の分割数は、２以上とすることが可能である。
【００７８】
図６において、２Ａは第１棒状部材、２Ｂは第２棒状部材である。第１棒状部材２Ａの内筒２１Ａの内孔における先端側領域は、雌ねじ孔２１Ａ１とされてする。一方、第２棒状部材２Ｂの内筒２１Ｂの手前側端部には、ねじ軸部２１Ｂ１が設けられている。
【００７９】
第１棒状部材２Ａの雌ねじ孔２１Ａ１に第２棒状部材２Ｂのねじ軸部２１Ｂ１を螺合装着することにより、１本の棒状部材２が得られる。
【００８０】
（３）上記実施形態では、グリップ３の外筒３２を円筒形とした例を挙げているが、本発明はそれに限定されるものではない。
【００８１】
グリップ３の外筒３２は、例えば図示していないが、実プレー用のゴルフクラブに装着されるゴルフグリップとすることができる。
【００８２】
このゴルフグリップとする場合には、その先細側端部を棒状部材２寄りに配置するように内筒２１に取り付ける必要がある。このようなゴルフグリップを用いたゴルフススイング練習具であれば、さらに練習の効果が上がると言える。
【００８３】
（４）上記実施形態では、ボルト３３の頭部３３ｂを丸みを持つ形状とした例を挙げているが、本発明はそれに限定されるものではない。
【００８４】
例えば図示していないが、ボルト３３の頭部３３ｂについては、ボルト３３の軸部３３ａの一端側を輪状に屈曲した形状とすることが可能である。
【００８５】
そのようにした場合には、前記輪状の頭部３３ｂを壁などに設置した引っ掛け部材に引っ掛けることが可能となるので、ゴルフスイング練習具１の不使用時に嵩張らない状態で保管できるようになる。
【００８６】
（５）上記実施形態では、錘４を棒状部材２の内部に埋め込み固定した例を挙げているが、本発明はそれに限定されるものではない。
【００８７】
例えば図示していないが、錘４を用いずに棒状部材２の他端側を一端側よりも重くするように構成することができる。そのようにするには、例えば棒状部材２の内筒２１の他端側厚みを一端側のそれよりも厚くすることが考えられる。
【００８８】
また、例えば図７に示すように、錘４０を棒状部材２の他端に露呈する状態で着脱可能に付設することが可能である。
【００８９】
この錘４０は、円形板状に形成されており、その片面にねじ軸部４１が一体に形成されている。棒状部材２の内筒２１の内孔における他端側は、前記ねじ軸部４１が螺合装着される大きさの雌ねじ孔２１ｅとされている。
【００９０】
そして、上記した構成の錘４０を重量違いで多数用意しておけば、例えばゴルフスイング練習具１の使用者の体格あるいはゴルフ技術レベルに応じて、最適な重量の錘４０を選択して棒状部材２に装着することができるなど、汎用性が向上する。ちなみに、使用者のゴルフ技術レベルが上級になる程、あるいは使用者の体重が重くなる程、錘４０を重くすることができる。
【００９１】
その他、錘４を棒状部材２の内部に埋め込み固定したうえで、さらに、前記適宜の重量の錘４０を棒状部材２に追加装着することができる。この場合、例えば埋め込む錘４については、ゴルフスイング練習具１を最軽量タイプとする場合に適した重量にしておき、ゴルフスイング練習具１の使用者が必要に応じた重量の錘４０を追加装着することが考えられる。
【００９２】
（６）例えば図８に示すように、棒状部材２の一端面にマーカ５を取り外し可能に装着することが可能である。
【００９３】
このマーカ５は、円形板状に形成されており、ゴルフのプレー時におけるパット位置を示すために用いたり、あるいはゴルフスイング練習具１の販売促進のための販促具として用いたりするものである。
【００９４】
このマーカ５の表面には、例えば特殊情報（バーコードまたは株式会社デンソーウェーブの登録商標である「ＱＲコード」など）が記載されている。
【００９５】
なお、前記特殊情報は、例えば携帯電子機器の読取装置で読み取ることにより、前記携帯電子機器にインターネットにおけるゴルフスイング練習具１の使用方法を説明するための動画を配信するサイト、またはゴルフスイング練習具１の販売サイトなどを表示するためのものである。
【００９６】
そして、マーカ５を着脱自在にするために、例えば棒状部材２の一端面に磁石６を取り付ける一方で、マーカ５を磁性材そのものとするか、あるいは下端面に磁性材を埋め込み固定することが考えられる。
【００９７】
その他、図示していないが、例えばマーカ５を磁石そのものとするか、あるいは下端面に磁石を埋め込み固定する一方で、棒状部材２の一端面に磁性材を取り付けることが考えられる。
【００９８】
さらに、マーカ５は棒状部材２の一端面に固定されるものであってもよく、また、棒状部材２の一端面に一体に形成されるものであってもよい。
【産業上の利用可能性】
【００９９】
本考案は、ゴルフスイングのタイミングを把握するためのゴルフスイング練習具に好適に利用することが可能である。
【符号の説明】
【０１００】
１  ゴルフスイング練習具
２  棒状部材
２１  内筒
２１ａ  一端側の直線部分
２１ｂ  他端側の直線部分
２１ｃ  屈曲部
２１ｄ  貫通孔
２２  外筒
２２ａ  貫通孔
３  グリップ
３１  内筒
３２  外筒
３３  ボルト
３３ａ  軸部
３３ｂ  頭部
３４，３５  ナット
４  錘
【図１】
0003217903.tif 000003
【図２】
0003217903.tif 000004
【図３】
0003217903.tif 000005
【図４】
0003217903.tif 000006
【図５】
0003217903.tif 000007
【図６】
0003217903.tif 000008
【図７】
0003217903.tif 000009
【図８】
0003217903.tif 000010